(57)【要約】【課題】ドライバーに確実かつ運転に支障をきたさないように消耗品の交換時期を通知することができる車両用走行音生成装置、車両走行音生成方法、車両用走行音生成プログラムおよび車両用走行音生成プログラムを格納した記録媒体を提供する。【解決手段】車両用走行音生成装置１において、消耗量判定手段６が判定した車両における消耗品の消耗量に対応した音源選択部８ａで音源データを選択して、音源選択部８ａによって選択された音源データから走行状態取得手段５が取得した車両の走行状態に応じて走行音信号生成部８ｂが適切な音源データをさらに選択してスピーカなどに出力する。【選択図】図２
2010120454.tif 000002
【特許請求の範囲】
【請求項１】
車両の走行状態を取得する走行状態取得手段と、予め車両の走行音に関する音源データが記憶された音源記憶手段と、前記音源記憶手段に記憶された前記音源データから前記走行状態取得手段が取得した前記車両の走行状態に応じた走行音を生成して出力する走行音生成手段と、を備えた車両用走行音生成装置において、
前記車両における消耗品の消耗量を判定する消耗量判定手段を備え、
前記走行音生成手段が、前記消耗量判定手段が判定した前記消耗品の消耗量に基づいて前記走行音を生成する
ことを特徴とする車両用走行音生成装置。
【請求項２】
前記音源記憶手段には、前記消耗量判定手段が判定する前記消耗品に対応した前記音源データが記憶されており、前記走行音生成手段は、前記消耗量判定手段が消耗したと判定した前記消耗品に対応した前記音源データを前記音源記憶手段から選択することを特徴とする請求項１に記載の車両用走行音生成装置。
【請求項３】
前記音源記憶手段には、前記消耗量判定手段が判定した前記消耗品の消耗量に応じて複数の前記音源データが記憶されており、前記走行音生成手段は、前記消耗量判定手段が判定した前記消耗量に対応した前記音源データを前記音源記憶手段から選択することを特徴とする請求項１または２に記載の車両用走行音生成装置。
【請求項４】
前記走行音生成手段は、前記音源記憶手段から読み出した前記音源データを前記消耗量判定手段が消耗したと判定した前記消耗品に応じて所定の加工を施すことを特徴とする請求項１に記載の車両用走行音生成装置。
【請求項５】
前記走行音生成手段は、前記音源記憶手段から読み出した前記音源データを前記消耗量判定手段が判定した前記消耗品の消耗量に応じて所定の加工を施すことを特徴とする請求項１または４に記載の車両用走行音生成装置。
【請求項６】
車両の走行状態を取得し、予め記憶された車両の走行音に関する音源データから走行状態に基づいて走行音を生成して出力する車両走行音生成方法において、
前記車両における消耗品の消耗量を判定して、その判定した前記消耗品の消耗量に基づいて前記走行音を生成することを特徴とする車両走行音生成方法。
【請求項７】
車両の走行状態を取得する走行状態取得手段と、予め車両の走行音に関する音源データが記憶された音源記憶手段と、前記音源記憶手段に記憶された前記音源データから前記走行状態取得手段が取得した前記車両の走行状態に応じた走行音を生成して出力する走行音生成手段と、してコンピュータを機能させる車両用走行音生成プログラムにおいて、
前記車両における消耗品の消耗量を判定する消耗量判定手段として前記コンピュータを機能させるとともに、
前記走行音生成手段が、前記消耗量判定手段が判定した前記消耗品の消耗量に基づいて走行音を生成する
ことを特徴とする車両用走行音生成プログラム。
【請求項８】
請求項７に記載の車両用走行音生成プログラムを格納したことを特徴とするコンピュータ読み取り可能な記録媒体。
【発明の詳細な説明】
【技術分野】
【０００１】
本発明は、車内に他の車両などを模擬した走行音を出力する車両用走行音生成装置、車両走行音生成方法、車両用走行音生成プログラムおよび車両用走行音生成プログラムを格納した記録媒体に関する。
【背景技術】
【０００２】
従来、車両の走行音を生成する装置としては、例えば特許文献１に記載の車載用エンジン音演出装置のように自車の走行中にＦ１カーなどの特定車種のエンジン音を車内に放音して特定の車両に載っているような雰囲気を味わう装置が提案されている。
【０００３】
一方、車両のタイヤやエンジンオイルなどの油脂類およびバッテリーなどは消耗品として、所定の期間や走行距離などに応じて交換を行う必要がある。このような消耗品は、ドライバー自身による点検および、カーディーラーやカー用品店あるいはガソリンスタンドなどの店員による点検によって交換時期を判断していた。
【０００４】
しかしながら、上述した人手による点検では、経験によって判断基準が異なってしまうことがあり、見過ごしや、交換の必要が無いのに交換すべきと判断されてしまうなど、ドライバーにとって不利益となることがあった。
【０００５】
そこで、このような消耗品の交換時期を人手によらず判定する方法として特許文献２に記載の車両消耗品の交換時期判定方法が提案されている。特許文献２に記載の車両消耗品の交換時期判定方法は、累積走行距離に基づいて消耗品の交換時期を判断している。
【特許文献１】特開平１１−２９６１８５号公報
【特許文献２】特開２００５−１５３６８２号公報
【発明の開示】
【発明が解決しようとする課題】
【０００６】
特許文献２に記載の車両消耗品の交換時期判定方法は、交換時期になって初めて表示などによって通知する方法であり、ドライバーが表示を見落としてしまうこともある。表示に代えて（あるいは加えて）警告音などで通知する方法も考えられるが、この場合、消耗品の交換まで警告音が鳴り続けると、ドライバーが耳障りに感じ運転に支障をきたす恐れがあり、かといって警告音を切れるようにすると、切った後に消耗品の交換を忘れてしまう可能性があるという問題があった。
【０００７】
また、特許文献１に記載の車載用エンジン音演出装置は、単にエンタテインメントに特化したものであり、車両の消耗品の交換時期などのメンテナンス情報に関しては何ら考慮されていない。
【０００８】
そこで、本発明は、ドライバーに確実かつ運転に支障をきたさないように消耗品の交換時期を通知することができる車両用走行音生成装置、車両走行音生成方法、車両用走行音生成プログラムおよび車両用走行音生成プログラムを格納した記録媒体を提供することを課題とする。
【課題を解決するための手段】
【０００９】
上記課題を解決するために、請求項１に記載の車両用走行音生成装置は、車両の走行状態を取得する走行状態取得手段と、予め車両の走行音に関する音源データが記憶された音源記憶手段と、前記音源記憶手段に記憶された前記音源データから前記走行状態取得手段が取得した前記車両の走行状態に応じた走行音を生成して出力する走行音生成手段と、を備えた車両用走行音生成装置において、前記車両における消耗品の消耗量を判定する消耗量判定手段を備え、前記走行音生成手段が、前記消耗量判定手段が判定した前記消耗品の消耗量に基づいて前記走行音を生成することを特徴としている。
【００１０】
請求項６に記載の車両走行音生成方法は、車両の走行状態を取得し、予め記憶された車両の走行音に関する音源データから走行状態に基づいて走行音を生成して出力する車両走行音生成方法において、前記車両における消耗品の消耗量を判定して、その判定した前記消耗品の消耗量に基づいて前記走行音を生成することを特徴としている。
【００１１】
請求項７に記載の車両用走行音生成プログラムは、車両の走行状態を取得する走行状態取得手段と、予め車両の走行音に関する音源データが記憶された音源記憶手段と、前記音源記憶手段に記憶された前記音源データから前記走行状態取得手段が取得した前記車両の走行状態に応じた走行音を生成して出力する走行音生成手段と、してコンピュータを機能させる車両用走行音生成プログラムにおいて、前記車両における消耗品の消耗量を判定する消耗量判定手段として前記コンピュータを機能させるとともに、前記走行音生成手段が、前記消耗量判定手段が判定した前記消耗品の消耗量に基づいて走行音を生成することを特徴としている。
【発明を実施するための最良の形態】
【００１２】
以下、本発明の一実施形態にかかる車両用走行音生成装置を説明する。本発明の一実施形態にかかる車両用走行音生成装置は、車両における消耗品の消耗量を判定する消耗量判定手段を備えて、走行音生成手段が、消耗量判定手段が判定した消耗品の消耗量に基づいて出力する走行音を生成するので、車両の走行状態に加えて消耗品の消耗量の状態も考慮して走行音を生成させることができ、単に好みの走行音を出力するだけでなく、その走行音の変化で消耗品の交換時期をドライバーに通知することができる。
【００１３】
また、音源記憶手段には、消耗量判定手段が判定する消耗品に対応した音源データが記憶されており、走行音生成手段は、消耗量判定手段が消耗したと判定した消耗品に対応した音源データを音源記憶手段から選択してもよい。このようにすることにより、予め記憶した音源データを選択するだけでタイヤやエンジンオイルやバッテリーなどの消耗品ごとに消耗した際の走行音を変化させることができ、ドライバーにどの消耗品が消耗したかを通知することができる。
【００１４】
また、音源記憶手段には、消耗量判定手段が判定した消耗品の消耗量に応じて複数の音源データが記憶されており、走行音生成手段は、消耗量判定手段が判定した消耗量に応じた音源データを音源記憶手段から選択してもよい。このようにすることにより、予め記憶した音源データを選択するだけで消耗量に応じた走行音に変化させることができ、ドライバーにどの程度消耗しているかを通知することができる。
【００１５】
また、走行音生成手段は、消耗量判定手段が消耗したと判定した消耗品に応じて音源記憶手段から読み出した音源データを加工してもよい。このようにすることにより、予め記憶した音源データを加工することでタイヤやエンジンオイルやバッテリーなどの消耗品ごとに消耗した際の走行音を変化させることができ、音源記憶手段の容量を節約しつつドライバーにどの消耗品が消耗したかを通知することができる。
【００１６】
また、走行音生成手段は、消耗量判定手段が判定した消耗品の消耗量に応じて音源記憶手段から読み出した音源データを加工してもよい。このようにすることにより、予め記憶した音源データを加工することで消耗量に応じた走行音に変化させることができ、音源記憶手段の容量を節約しつつドライバーにどの程度消耗しているかを通知することができる。
【００１７】
また、本発明の一実施形態にかかる車両走行音生成方法は、車両における消耗品の消耗量を判定して、その判定した消耗量に基づいて出力する走行音を生成するので、車両の走行状態に加えて消耗品の消耗量の状態も考慮して走行音を生成させることができ、単に好みの走行音を出力するだけでなく、その走行音の変化で消耗品の交換時期をドライバーに通知することができる。
【００１８】
また、本発明の一実施形態にかかる車両用走行音生成プログラムは、車両における消耗品の消耗量を判定する消耗量判定手段を備えて、走行音生成手段が、消耗量判定手段が判定した消耗品の消耗量に基づいて出力する走行音を生成するので、車両の走行状態に加えて消耗品の消耗量の状態も考慮して走行音を生成させることができ、単に好みの走行音を出力するだけでなく、その走行音の変化で消耗品の交換時期をドライバーに通知することができる。
【実施例１】
【００１９】
本発明の第１の実施例にかかる車両用走行音生成装置１を図１乃至図４を参照して説明する。車両用走行音生成装置１は、図１および図２に示すように筐体２と、表示手段３と、操作手段４と、走行状態取得手段５と、消耗量判定手段６と、音源記憶手段７と、走行音生成手段８と、を備え、車両の車室内に設置される。
【００２０】
筐体２は扁平な箱型に形成されている。筐体２の前面には表示手段３と、操作手段４と、が設けられている。
【００２１】
表示手段３は、例えば液晶ディスプレイで構成され、車両用走行音生成装置１の動作状態などを表示する。
【００２２】
操作手段４は、複数のボタンや摘みなどで構成され、車両用走行音生成装置１の電源のＯＮ／ＯＦＦや、各種設定などの操作を行う。
【００２３】
走行状態取得手段５は、車両の各種走行状態を取得して走行音生成手段に出力する。走行状態としては、アクセルの開度やエンジンの回転数および走行速度などである。これらの情報をアクセルペダルの踏み込み量を検出するアクセル開度センサやエンジンの回転数を検出するエンジン回転数センサおよび車両の走行速度を検出する走行速度センサなどから直接またはＥＣＵ（Engine Control Unit）を介して取得する。
【００２４】
消耗量判定手段６は、タイヤ、エンジンオイル、バッテリーなどの車両における消耗品の消耗量を判定して、判定した消耗量を走行音生成手段８に出力する。消耗量の判定は、例えば走行距離や前の交換時期からの経過時間などで判定する。なお、本発明において、消耗品とは、タイヤ、エンジンオイル、バッテリーに限らず、ブレーキオイルやトランスミッションオイルなどの交換可能な油脂類や、ブレーキパッドや冷却水およびガソリンなど、車両が走行することで消耗し、交換または補充の必要が生じる部品全般を示すが、本実施例では代表して前記３点について説明する。
【００２５】
音源記憶手段７は、不揮発性の半導体メモリやハードディスクなどの記録媒体で構成されており、消耗品の種類ごとに消耗量に対応した走行音に関する音源データが記憶され、さらに音源データは走行状態に対応して複数の音源データに細分化されている。走行音に関する音源データの中身としては、エンジン音に限らず、ロードノイズなど車両が走行する際に発する音全般を示している。音源記憶手段７内の音源データの記憶イメージを図３を参照して説明する。
【００２６】
音源データは図３（ａ）に示すように、例えばタイヤであれば走行音Ａ、エンジンオイルであれば走行音Ｂ、バッテリーであれば走行音Ｃ、といったように消耗品の種類に対応して音源データが対応付けられている。そして、それらの音源データは図３（ｂ）に示すように、例えば消耗量０の場合はＡ０、消耗量１の場合はＡ１、消耗量２の場合はＡ２、消耗量３の場合はＡ３、といったように各消耗品の消耗量に対応して音源データが対応付けられている。さらに、各消耗量に対応した走行音は図３（ｃ）に示すように、エンジン回転数とアクセル開度によって細分化された音源データ１〜２５が記憶されている。なお、図３（ｃ）はエンジン回転数とアクセル開度に加えて走行速度も考慮して細分化してもよい。
【００２７】
なお、消耗量判定手段６が判定した消耗量と音源記憶手段７に記憶されている各音源データ間の変化度の関係は、図４（ａ）に示すように、比例関係に変化させて徐々に音源データを変化させてもよいし、図４（ｂ）に示したように消耗量が小さいうちは音源データの変化を小さくし、消耗量が多くなってきた際に音源データの変化を大きくしてもよい。図４（ｂ）の場合は、交換の必要性が高まる時期に走行音（音源データ）を大きく変化させているので、ドライバーに交換時期をより強く印象付けることができる。
【００２８】
走行音生成手段８は、走行状態取得手段５と消耗量判定手段６から取得した情報に基づいて音源記憶手段７から音源データを選択し走行音信号を生成して図示しないスピーカなどの出力手段に出力する。走行音生成手段８は、音源選択部８ａと、走行音信号生成部８ｂと、を備えている。
【００２９】
音源選択部８ａは、消耗量判定手段６が判定した消耗品の種類と消耗量に対応した音源データを選択する。
【００３０】
走行音信号生成部８ｂは、音源選択部８ｂによって選択された音源データから走行状態取得手段５が取得した車両の走行状態（エンジン回転数や走行速度）に対応した音源データをさらに選択してスピーカなどに出力する。
【００３１】
本実施例では、消耗量判定手段６が判定した消耗品の消耗量に応じて音源選択部８ａで音源データを選択して（図３の（ｂ）まで確定）、走行音信号生成部８ｂが走行状態取得手段５が取得した車両の走行状態（エンジン回転数や走行速度）に対応して音源選択部８ａによって選択された走行音データから適切な音源データをさらに選択して（図３の（ｃ）から１つを選択）スピーカなどに出力する。例えばエンジンオイルの消耗量が１でエンジン回転数が最も高くアクセル開度も最も大きい場合は、走行音データＢ１の２５番が選択される。
【００３２】
また、バッテリーの劣化の場合は、セルをまわしてもエンジンがかからない状態を示す音を出力するようにしてもよい。例えば図３の場合では、図３（ｂ）で消耗量が大きいことを示す走行音データの図３（ｃ）部分において、エンジン回転数が最も低くアクセル開度が最も小さい１番にこの音を記憶すればよい。
【００３３】
本実施例によれば、車両用走行音生成装置１において、消耗量判定手段６が判定した消耗品の消耗量に応じて音源選択部８ａで音源データを選択して、走行音信号生成部８ｂが走行状態取得手段５が取得した車両の走行状態に対応して音源選択部８ａによって選択された音源データから適切な音源データを選択してスピーカなどに出力しているので、車両の走行状態に加えて消耗品の消耗量の状態も考慮して走行音を生成させることができ、単に好みの走行音を出力するだけでなく、その走行音の変化で消耗品の交換時期をドライバーに通知することができる。
【００３４】
また、音源記憶手段７に消耗量判定手段６が判定する消耗品に対応した音源データが記憶されて、走行音生成手段８が消耗量判定手段６が消耗したと判定した消耗品に応じた走行音を音源記憶手段７から選択しているので、予め記憶した音源データを選択するだけでタイヤやエンジンオイルやバッテリーなどの消耗品ごとに消耗した際の走行音を変化させることができ、ドライバーにどの消耗品が消耗したかを通知することができる。
【００３５】
また、音源記憶手段７に消耗量判定手段６が判定した消耗品の消耗量に応じて複数の音源データが記憶されており、走行音生成手段８は、消耗量判定手段６が判定した消耗量に応じた音源データを音源記憶手段７から選択しているので、予め記憶した音源データを選択するだけで消耗量に応じて走行音を変化させることができ、ドライバーにどの程度消耗しているかを通知することができる。つまり、走行距離や日時の経過に従って徐々に劣化していく様を体感できるために、メンテナンスの時期および重要性をドライバーの心に届かせることができる。
【実施例２】
【００３６】
次に、本発明の第２の実施例にかかる車両用走行音生成装置１を図５を参照して説明する。なお、前述した第１の実施例と同一部分には、同一符号を付して説明を省略する。
【００３７】
本実施例では、音源記憶手段７に記憶されている音源データの記憶状態と走行音生成手段８の構成が第１の実施形態と異なる。
【００３８】
本実施例における音源記憶手段７は、消耗品の種類ごとに消耗量に応じた音源データが記憶されているのではなく、図３（ｃ）のようなエンジン回転数とアクセル開度によって、細分化された音源データが記憶されているのみである。
【００３９】
走行音生成手段８は、走行音信号生成部８ｂと、音源加工部８ｃと、を備えている。走行音信号生成部８ｂは、走行状態取得手段５が取得した車両の走行状態（エンジン回転数や走行速度）に応じて音源記憶手段７に記憶された音源データから適切な音源データを選択して音源加工部８ｃに出力する。
【００４０】
音源加工部８ｃは、走行音信号生成部８ｂが走行状態に応じて選択した音源データを消耗量判定手段６が判定した消耗品の種類や消耗量に応じて所定の加工を施してスピーカなどに出力する。
【００４１】
音源加工部８ｃにおける音源データの加工方法としては、所定の周波数帯域に対し、音圧と周波数方向を揺らがせる（変調）、所定の周波数帯域の音圧を大きくする（ノイズの付加）、徐々にあるいは所定期間ごとにミュートをかける、レスポンスを遅くする（通常、走行状態に同期して音源データから走行状態に対応する音源を読み出して出力するが、その出力を消耗量などに応じて遅延させる）、といった方法が挙げられる。
【００４２】
具体的には、例えば、タイヤであればロードノイズを付加する（ノイズの付加）、エンジンオイルであればアイドリング中やエンジンをふかしたときの音色を変えたり、レスポンスを遅くする（変調やレスポンスを遅くする）、バッテリーであれば走行中にエンジン音にミュートをかける、などといった加工を施す。
【００４３】
また、音源加工部８ｃは、上述した消耗品の消耗量に加えて、走行状態取得手段５が取得した走行状態も考慮して加工してもよい。例えば、走行中とアイドリング時などの走行状態の違いによって、加工の仕方を変化させてもよい。
【００４４】
本実施例によれば、走行音信号生成部８ｂが音源記憶手段７から選択した音源データを音源加工部８ｃで加工を施して出力しているので、音源記憶手段７に記憶する音源データが消耗品ごとなどに記憶する必要が無く、音源記憶手段７の容量を節約することができる。
【００４５】
なお、上述した音源記憶手段７は、外部から書き込み可能あるいは交換可能な記憶手段としてもよい。このようにすることにより、音源データの追加やアップデートなどを容易に行うことができる。
【００４６】
また、上述した実施例では車両用走行音生成装置１を図１に示したように独立した装置として説明したが、例えばカーオーディオやカーナビゲーションシステムあるいは車両に内蔵する構成としてもよい。
【００４７】
また、上述した実施例では、車両用走行音生成装置１として構成したが、ＣＰＵとメモリを備えたコンピュータで実行するプログラムに各手段の機能を実装することで車両用走行音生成プログラムとして構成することもできる。
【００４８】
また、車両も内燃機関により動作するものに限らず電気自動車でもよく、電気自動車の蓄電量やバッテリーの寿命などを本発明により生成した模擬走行音によって通知してもよい。
【００４９】
前述した実施例によれば、以下の車両用走行音生成装置１および車両用走行音生成方法および車両用走行音生成プログラムが得られる。
【００５０】
（付記１）車両の走行状態を取得する走行状態取得手段５と、予め車両の走行音に関する音源データが記憶された音源記憶手段７と、音源記憶手段７に記憶された音源データから走行状態取得手段５が取得した車両の走行状態に応じた走行音を生成して出力する走行音生成手段８と、を備えた車両用走行音生成装置１において、
車両における消耗品の消耗量を判定する消耗量判定手段６を備え、
走行音生成手段８が、消耗量判定手段６が判定した消耗品の消耗量に基づいて走行音を生成する
ことを特徴とする車両用走行音生成装置１。
【００５１】
この車両用走行音生成装置１によれば、車両の走行状態に加えて消耗品の消耗量の状態も考慮して走行音を生成させることができ、単に好みの走行音を出力するだけでなく、その走行音の変化で消耗品の交換時期をドライバーに通知することができる。
【００５２】
（付記２）車両の走行状態を取得し、予め記憶された車両の走行音に関する音源データから走行状態に基づいて走行音を生成して出力する車両走行音生成方法において、
車両における消耗品の消耗量を判定して、その判定した消耗品の消耗量に基づいて走行音を生成することを特徴とする車両走行音生成方法。
【００５３】
この車両用走行音生成方法によれば、車両の走行状態に加えて消耗品の消耗量の状態も考慮して走行音を生成させることができ、単に好みの走行音を出力するだけでなく、その走行音の変化で消耗品の交換時期をドライバーに通知することができる。
【００５４】
（付記３）車両の走行状態を取得する走行状態取得手段５と、予め車両の音源データが記憶された音源記憶手段７と、音源記憶手段７に記憶された音源データから走行状態取得手段５が取得した車両の走行状態に応じた走行音を生成して出力する走行音生成手段８と、してコンピュータを機能させる車両用走行音生成プログラムにおいて、
車両における消耗品の消耗量を判定する消耗量判定手段６としてコンピュータを機能させるとともに、
走行音生成手段８が、消耗量判定手段６が判定した消耗品の消耗量に基づいて走行音を生成する
ことを特徴とする車両用走行音生成プログラム。
【００５５】
この車両用走行音生成プログラムによれば、車両の走行状態に加えて消耗品の消耗量の状態も考慮して走行音を生成させることができ、単に好みの走行音を出力するだけでなく、その走行音の変化で消耗品の交換時期をドライバーに通知することができる。
【００５６】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００５７】
【図１】本発明の一実施例にかかる車両用走行音生成装置の外観斜視図である。
【図２】図１に示された車両用走行音生成装置のブロック構成を示したブロック図である。
【図３】図１示された車両用走行音生成装置の音源記憶手段における音源データの記憶状態を示した説明図である。
【図４】消耗量判定手段が判定した消耗量と音源記憶手段に記憶されている各音源データ間の変化度の関係を示すグラフである。
【図５】本発明の第２の実施例にかかる車両用走行音生成装置のブロック構成を示したブロック図である。
【符号の説明】
【００５８】
１        車両用走行音生成装置
５        走行状態取得手段
６        消耗量判定手段
７        音源記憶手段
８        走行音生成手段
【図１】
2010120454.tif 000003
【図２】
2010120454.tif 000004
【図３】
2010120454.tif 000005
【図４】
2010120454.tif 000006
【図５】
2010120454.tif 000007